(57)【要約】      （修正有）【課題】地震により目地部が非常に狭くなっても、目地プレートのピンケースと係止ピンとが外れることなく、目地プレートの回動や上下移動をスムーズに行なうことができる床用目地装置を提供する。【解決手段】一方の目地部側の床躯体３に形成された目地プレートスライド支持凹部５と、他方の目地部側床躯体３に形成された目地プレート支持凹部６と、後端部が支持され、先端部がスライド移動可能に支持された目地プレート７と、この目地プレート７の後端両側部に設けられた底面が開口し、かつ上部側が傾斜面に形成されたピンケース９と、このピンケース９内他方の目地部側床躯体３に固定されたピン挿入筒１０に上下方向にスライド移動可能に取付けられた係止ピン１１と、この係止ピン１１の上部を常時前記ピンケース９内に位置させるように保持する係止ピン保持手段１２とで床用目地装置１を構成している。【選択図】図２
2011111721.tif 000002
【特許請求の範囲】
【請求項１】
目地部を介して設けられた左右の床躯体の、一方の目地部側の床躯体に形成された反目地部側が傾斜面の目地プレートスライド支持凹部と、この目地プレートスライド支持凹部と対向する、前記左右の床躯体の他方の目地部側床躯体に形成された目地プレート支持凹部と、この目地プレート支持凹部を覆うように後端部が支持され、前記目地プレートスライド支持凹部を覆うように先端部がスライド移動可能に支持された目地プレートと、この目地プレートの後端両側部に設けられた底面が開口し、かつ反後端部側が底面より上部側が順次後方へ傾斜する傾斜面に形成されたピンケースと、このピンケース内にそれぞれ該ピンケースの傾斜面とほぼ同じ傾斜面に上部が形成され、かつ下部が垂直となる、前記他方の目地部側床躯体に固定されたピン挿入筒に上下方向にスライド移動可能に取付けられた係止ピンと、この係止ピンの上部を常時前記ピンケース内に位置させるように保持する係止ピン保持手段とで構成されていることを特徴とする床用目地装置。
【請求項２】
係止ピン保持手段はピン挿入筒内に設けられた、常時係止ピンを上方へ付勢する付勢スプリングで構成されていることを特徴とする請求項１記載の床用目地装置。
【請求項３】
係止ピン保持手段は係止ピンの上部に形成された長孔状の支持ピン挿入孔と、この支持ピン挿入孔に挿入され、ピンケースに固定される支持ピンとで構成されていることを特徴とする請求項１記載の床用目地装置。
【発明の詳細な説明】
【技術分野】
【０００１】
本発明は地震で目地部が狭くなると、床目地部を覆っている目地プレートの先端部が一方の床躯体上へ突出して、その揺れ動きを吸収する床用目地装置に関する。
【背景技術】
【０００２】
従来、この種の床用目地装置は目地プレートの後部両側部の底面に開口する箱状のピンケースを設け、該ピンケース内に上部が位置する係止ピンを目地プレート支持凹部に固定し、目地プレートの先端部を上方へ回動できるように目地プレートを他方の床躯体に取付けている。
【０００３】
しかしながら、このように係止ピンの上部をピンケース内に位置させて、目地プレートを他方の床躯体に取付ける方法では、地震で目地部が非常に小さくなった場合、一方の床躯体上に位置した目地プレートが、自重によりほぼ水平状態となり、該目地プレートの後端部が上方へ移動し、係止ピンがピンケースから外れて目地プレートの取付けが外れた状態となり、危険な状態となるという欠点があった。
【先行技術文献】
【特許文献】
【０００４】
【特許文献１】特開２００５−２４０３７４
【発明の概要】
【発明が解決しようとする課題】
【０００５】
本発明は以上のような従来の欠点に鑑み、地震により目地部が非常に狭くなっても、目地プレートのピンケースと係止ピンとが外れることなく、目地プレートを安全な状態に保つことができるとともに、目地部が狭くなった時の目地プレートの回動や上下移動をスムーズに行なうことができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の、一方の目地部側の床躯体に形成された反目地部側が傾斜面の目地プレートスライド支持凹部と、この目地プレートスライド支持凹部と対向する、前記左右の床躯体の他方の目地部側床躯体に形成された目地プレート支持凹部と、この目地プレート支持凹部を覆うように後端部が支持され、前記目地プレートスライド支持凹部を覆うように先端部がスライド移動可能に支持された目地プレートと、この目地プレートの後端両側部に設けられた底面が開口し、かつ反後端部側が底面より上部側が順次後方へ傾斜する傾斜面に形成されたピンケースと、このピンケース内にそれぞれ該ピンケースの傾斜面とほぼ同じ傾斜面に上部が形成され、かつ下部が垂直となる、前記他方の目地部側床躯体に固定されたピン挿入筒に上下方向にスライド移動可能に取付けられた係止ピンと、この係止ピンの上部を常時前記ピンケース内に位置させるように保持する係止ピン保持手段とで床用目地装置を構成している。
【発明の効果】
【０００８】
以上の説明から明らかなように、本発明にあっては次に列挙する効果が得られる。
（１）請求項１により、地震で目地部が狭くなり、目地プレートの先端部が上方へ回動したり、目地プレートが一方の床躯体に乗り上げて後端部が上方へ移動しても、係止ピン保持手段によって、ピンケース内に係止ピンの先端部が位置した状態を保つことができる。
したがって、地震時に目地プレートを係止している係止ピンとピンケースが外れることなく、安全に使用することができる。
（２）前記（１）により、目地プレートの後端両側部に設けられたピンケースは底面が開口し、かつ反後端部側が底面より上部側が順次後方へ傾斜する傾斜面に形成されているとともに、係止ピンの上端部をピンケースの傾斜面に沿うように傾斜面に形成されているので、目地プレートの先端部の上方への回動をスムーズにできるとともに、係止ピンの上下移動をスムーズに行なわせることができる。
（３）前記（１）によって、ピンケースや係止ピンの改造と、係止ピン保持手段を設置するだけでよく、構造が簡単で、容易に実施することができる。
（４）請求項２、３も前記（１）〜（３）と同様な効果が得られる。
【図面の簡単な説明】
【０００９】
【図１】本発明を実施するための第１の形態の平面図。
【図２】図１の２−２線に沿う断面図。
【図３】本発明を実施するための第１の形態の目地プレート本体の説明図。
【図４】本発明を実施するための第１の形態の係止ピンの説明図。
【図５】本発明を実施するための第１の形態の地震で目地部が少し狭くなった状態の説明図。
【図６】本発明を実施するための第１の形態の地震で目地部が狭くなった状態の説明図。
【図７】本発明を実施するための第１の形態の地震で目地部が広くなった状態の説明図。
【図８】本発明を実施するための第１の形態の一方の床躯体が沈下した状態の説明図。
【図９】本発明を実施するための第１の形態の他方の床躯体が沈下した状態の説明図。
【図１０】本発明を実施するための第２の形態の平面図。
【図１１】図１０の１１−１１線に沿う断面図。
【図１２】本発明を実施するための第２の形態の目地プレートの説明図。
【図１３】本発明を実施するための第３の形態の平面図。
【図１４】図１３の１４−１４線に沿う断面図。
【図１５】本発明を実施するための第３の形態の係止ピン保持手段の説明図。
【図１６】本発明を実施するための第４の形態の平面図。
【図１７】図１６の１７−１７線に沿う断面図。
【図１８】図１７の要部拡大図。
【図１９】本発明を実施するための第４の形態の地震で目地部が狭くなった状態の説明図。
【発明を実施するための形態】
【００１０】
以下、図面に示す本発明を実施するための形態により、本発明を詳細に説明する。
【００１１】
図１ないし図９に示す本発明を実施するための第１の形態において、１は目地部２を介して設けられた左右の床躯体３、３間を覆う本発明の床用目地装置で、この床用目地装置１は前記左右の床躯体３、３の一方の目地部側の床躯体３に形成された反目地部２側が傾斜面４の目地プレートスライド支持凹部５と、この目地プレートスライド支持凹部５と対向する、前記左右の床躯体３、３の他方の目地部２側の床躯体３に形成された目地プレート支持凹部６と、この目地プレート支持凹部６を覆うように後端部が支持され、前記目地プレートスライド支持凹部５を覆うように先端部がスライド移動可能に支持された目地プレート７と、この目地プレート７の後端両側部に設けられた底面が開口８するピンケース９、  ９と、このピンケース９、９と対応する部位の他方の床躯体３の目地部側に固定された底面が閉塞されたピン挿入筒１０、１０と、このピン挿入筒１０、１０内にスライド移動可能に取付けられた上部が前記ピンケース９、９内に位置する係止ピン１１、１１と、この係止ピン１１、１１の上部を常時前記ピンケース９、９内に位置するように保持する係止ピン保持手段１２、１２とで構成されている。
【００１２】
前記目地プレート７は金属材で形成された浅皿状の目地プレート本体１３と、この目地プレート本体１３の後端両側部に設けられたピンケース９、９と、前記目地プレート本体１３の先端上部にヒンジ部材１４を介して設けられた先端部が上下方向へ回動可能なカバープレート１５と、前記目地プレート本体１３内に充填されたモルタルやコンクリート１６と、このモルタルやコンクリート１６の上面に敷設されたレンガやタイル等の床化粧板１７とで構成されている。
【００１３】
前記ピンケース９、９は金属材製で底面が開口８し、前記目地プレート７の反後端部側が底面より上部側が順次後方へ傾斜する傾斜面１８に形成された箱状で、前記目地プレート本体１３に溶接等の固定手段で固定されている。
【００１４】
前記係止ピン１１、１１は前記ピン挿入筒１０、１０内を上下移動することができる棒状の係止ピン本体１９と、この係止ピン本体１９の上部と一体形成された前記ピンケース９、９内に挿入される、該ピンケース９、９の傾斜面１８、１８と同じ傾斜面あるいは、該傾斜面１８、１８の下部側にわずかな隙間が生じるような傾斜面２０に形成された上部がピンケース９、９の天井面と面接触する係止部２１とで構成されている。
【００１５】
前記係止ピン保持手段１２、１２は前記ピン挿入筒１０、１０内に挿入された、常時係止ピン１１、１１を上方へ付勢する付勢スプリング２２、２２で構成されている。
【００１６】
上記構成の床用目地装置１は地震で左右の床躯体３、３が揺れ動き、目地部２が少し狭くなると、図５に示すように目地プレート７の先端部が一方の床躯体３の目地プレートスライド支持凹部５の傾斜面４に沿って、回動しながら一方の床躯体３上へ移動する。
【００１７】
この時、係止ピン１１、１１の上部を支点として目地プレート７が回動するため、目地プレート７の後端部と目地プレート支持凹部６の端部６ａとの間に隙間が生じることなく、目地プレート７を回動させることができる。地震での揺れ動きが停止すると、係止ピン１１、1１によって元の状態へ自動的に戻る。
【００１８】
次に、地震で左右の床躯体３、３が揺れ動き、目地プレート７が一方の床躯体３上に乗り上げるように目地部２が狭くなると、図６に示すように係止ピン１１、１１の上部係止部２１、２１はピンケース９、９より外れることなく係止ピン保持手段１２、１２の付勢スプリング２２、２２で係止ピン１１、１１を上方へ移動させ、目地プレート７の後端部と目地プレート支持凹部６の端部６ａとの間に隙間が生じることなく上方へ移動させることができる。
【００１９】
地震での揺れ動きが停止し、目地部２の幅寸法が元の状態に戻ると、目地プレート７の自重によって、係止ピン保持手段１２、１２の付勢スプリング２２、２２の付勢力に抗して係止ピン１１、１１を下降させ、図５の状態になってから、図２に示す状態へ自動的に戻る。
【００２０】
地震で左右の床躯体３、３が揺れ動き、目地部２が広くなると、図７に示すように目地プレート７は他方の床躯体３に取付けられている係止ピン１１、１１によって、他方の床躯体３と一体になって移動するため、目地プレート７の先端部は一方の床躯体３の目地プレートスライド支持凹部５上をスライド移動して、その揺れ動きを吸収する。
【００２１】
左右の床躯体３、３が不等沈下した場合、図８および図９に示すようにピンケース９、９と係止ピン１１、１１の係止状態によって、目地プレート７の後端部と目地プレート支持凹部６の端部６ａとの間に大きな隙間が生じることがない。
【００２２】
なお、目地プレート７の先端部が下方に沈下する場合には、ピンケース９、９の傾斜面１８、１８と係止ピン１１、１１の係止部２１、２１の傾斜面２０、２０の下部側にわずかな隙間２３、２３を有するように形成しておくと、目地プレート７の先端部が下方への移動を抵抗なくできる。
【００２３】
また、係止ピン１１、１１の係止部２１、２１の先端部の上部２１ａ、２１ａはピンケース９、９の後の上部内壁９ａ、９ａとわずかな隙間を介して位置することにより、係止ピン１１、１１の係止部２１、２１の先端部の上部２１ａ、２１ａを支点として目地プレート７が回動して、目地プレート７の後端部と目地プレート支持凹部６の端部６ａとの間に隙間がほとんどなくても、目地プレート７を回動させることができる。  
【００２４】
[発明を実施するための異なる形態]
次に、図１０ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２５】
図１０ないし図１２に示す本発明を実施するための第２の形態において、前記本発明を実施するための第１の形態と主に異なる点は、後端部の底面より上面側が外方へわずかに突出する傾斜面２４に形成した目地プレート本体１３Ａを使用した目地プレート７Ａを用いた点で、このように形成された目地プレート７Ａ  を用いた床用目地装置１Ａにすることにより、一方の床躯体３が沈下した場合でも目地プレート７Ａの後端部と目地プレート支持凹部６の上端部６ａとの間に隙間が生じるのを効率よく阻止し、目地プレート７Ａの回動をスムーズに行なわせることができる。
【００２６】
図１３ないし図１５に示す本発明を実施するための第３の形態において、前記本発明を実施するための第１の形態と主に異なる点は、係止ピン１１、１１の上部の係止部２１、２１に上下方向に長い支持ピン挿入孔２５、２５を形成し、該支持ピン挿入孔２５、２５に挿入されピンケース９、９に取付けられた支持ピン２６、２６とからなる係止ピン保持手段１２Ａ、１２Ａを用いた点で、このような係止ピン保持手段１２Ａ、１２Ａを用いて構成した床用目地装置１Ｂにしても、前記本発明を実施するための第１の形態と同様な作用効果が得られる。
【００２７】
図１６ないし図１９に示す本発明を実施するための第４の形態において、前記本発明を実施するための第１の形態と主に異なる点は、係止部２１の先端下部にストッパー片２７を形成した係止ピン１１Ａ、１１Ａと、この係止ピン１１Ａ、１１Ａの係止部２１、２１の挿入が可能で、かつストッパー片２７、２７と当接して、該係止ピン１１Ａ、１１Ａの脱落を防止できるストッパー２８、２８を後部側の底面に形成したピンケース９Ａ、９Ａを用い、該ピンケース９Ａ、９Ａのストッパー２８、２８と係止ピン１１Ａ、１１Ａのストッパー片２７、２７とで係止ピン保持手段１２Ｂ、１２Ｂにした点で、このような係止ピン保持手段１２Ｂ、１２Ｂを用いて構成した床用目地装置１Ｃにしても、前記本発明を実施するための第１の形態と同様な作用効果が得られる。
【００２８】
なお、前記本発明を実施するための各形態の実施の形態では、一方の床躯体３と他方の床躯体３に形成した目地プレートスライド支持凹部５と目地プレート支持凹部６に直接目地プレート７、７Ａを設置するものについて説明したが、本発明はこれに限らず、目地プレートスライド支持凹部５を覆う金属材製の下地材を設置したり、目地プレート支持凹部６を覆う金属材製の下地材を設置した状態で目地プレートを設置してもよい。
【産業上の利用可能性】
【００２９】
本発明は目地部を介して設けられた左右の床躯体間を覆う床用目地装置を製造する産業で利用される。
【符号の説明】
【００３０】
１、１Ａ、１Ｂ、１Ｃ：床用目地装置、
２：目地部、                      ３：床躯体、
４：傾斜面、  
５：目地プレートスライド支持凹部、  
６：目地プレート支持凹部、  ７、７Ａ：目地プレート、
８：開口、                  ９、９Ａ：ピンケース、
１０：ピン挿入筒、      １１、１１Ａ：係止ピン、
１２、１２Ａ、１２Ｂ：係止ピン保持手段、
１３、１３Ａ：目地プレート本体、
１４：ヒンジ部材、              １５：カバープレート、
１６：モルタルやコンクリート、  １７：床化粧板、
１８：傾斜面、                  １９：係止ピン本体、
２０：傾斜面、                  ２１：係止部、
２２：付勢スプリング、          ２３：隙間、
２４：傾斜面、                  ２５：支持ピン挿入孔、
２６：支持ピン、                ２７：ストッパー片、
２８：ストッパー。
【図１】
2011111721.tif 000003
【図２】
2011111721.tif 000004
【図３】
2011111721.tif 000005
【図４】
2011111721.tif 000006
【図５】
2011111721.tif 000007
【図６】
2011111721.tif 000008
【図７】
2011111721.tif 000009
【図８】
2011111721.tif 000010
【図９】
2011111721.tif 000011
【図１０】
2011111721.tif 000012
【図１１】
2011111721.tif 000013
【図１２】
2011111721.tif 000014
【図１３】
2011111721.tif 000015
【図１４】
2011111721.tif 000016
【図１５】
2011111721.tif 000017
【図１６】
2011111721.tif 000018
【図１７】
2011111721.tif 000019
【図１８】
2011111721.tif 000020
【図１９】
2011111721.tif 000021